【事件の表示】
　特許第３４６３２４７号「写真シール自動販売装置、及び写真シール作成方法」の請求項１から請求項１０までに係る特許に対する特許異議の申立てについて、次のとおり決定する。
【結　論】
　特許第３４６３２４７号の請求項１から請求項１０までに係る特許を維持する。
【理　由】
１．手続の経緯
　本件特許第３４６３２４７号（請求項の数１０）は、平成１３年１０月１７日の出願であり、その発明について、平成１５年８月２２日に特許権の設定の登録（権利者：オムロン株式会社）があり、平成１７年２月２日に移転の登録（権利者：オムロンエンタテインメント株式会社）があった。
　平成１５年１２月２６日付けで特許異議申立人・森崎慎二から特許異議の申立て（全請求項）があった。
　
２．本件発明
　本件特許の請求項１から請求項１０までに係る発明（以下、本件各発明ともいう）は、それぞれ、願書に添付した明細書（以下、特許明細書ともいう）の特許請求の範囲の請求項１から請求項１０までに記載された下記のとおりのものである。
　　　　　記（特許請求の範囲の記載）
　【請求項１】
　１以上の被写体を撮像する撮像手段と、
　前記撮像した撮像画像を表示する表示手段と、
　前記撮像画像に対して複数のアイテム画像による画像編集を許容する編集手段と、
　前記画像編集した編集画像及び／又は前記撮像画像から所定の画像を写真シールシートとして印刷する印刷手段とを備えた写真シール自動販売装置であって、
　前記編集手段での画像編集に利用する複数のアイテム画像として、アイテム画像を所定順序に並べたアイテム画像群から、前記編集手段で一部の選択を許容し、前記編集手段で画像編集を許容する際、前記表示手段に、選択された前記複数のアイテム画像を画像編集に使用できる画像として表示すると同時に、前記撮像画像又は前記編集画像を編集処理を行う画像として表示するべく設定した写真シール自動販売装置。
　【請求項２】
　前記アイテム画像を並べたアイテム画像群に対して、自己及び／又は他の写真シール自動販売での前記アイテム画像に対する過去の使用状況に基づいて前記所定順序の変更を許容するべく設定した請求項１に記載の写真シール自動販売装置。
　【請求項３】
　前記編集手段を、利用者にアイテム画像のデザイン変更及び／又は新規作成を許容するべく設定した請求項１又は２のいずれか１つに記載の写真シール自動販売装置。
　【請求項４】
　前記編集手段を、表示手段とタッチパネル式入力手段で構成し、
　前記アイテム画像群からの一部の選択を、利用者に上記タッチパネル式入力手段でタッチ入力を許容するべく設定した請求項１から３のいずれか１つに記載の写真シール自動販売装置。
　【請求項５】
　前記アイテム画像群のアイテム編集を許容するメンテナンス処理を設定した請求項１から４のいずれか１つに記載の写真シール自動販売装置。
　【請求項６】
　撮像手段で１以上の被写体を撮像し、
　前記撮像した撮像画像を表示手段で表示し、
　前記編集手段での画像編集に利用する複数のアイテム画像として、アイテム画像を所定順序に並べたアイテム画像群から、前記編集手段で一部の選択を許容し、前記表示手段で、選択を許容した前記複数のアイテム画像と、前記撮像画像又は前記編集画像とを同時に表示して、
　前記撮像画像に対して前記編集手段で前記複数のアイテム画像による画像編集を許容し、
　前記画像編集した編集画像及び／又は前記撮像画像から、所定の画像を写真シールシートに印刷する写真シール作成方法。
　【請求項７】
　前記アイテム画像を並べたアイテム画像群に対して、自己及び／又は他の写真シール作成での前記アイテム画像に対する過去の使用状況に基づいて前記所定順序の変更を許容する請求項６に記載の写真シール作成方法。
　【請求項８】
　利用者に前記アイテム画像のデザイン変更及び／又は新規作成を許容する請求項６又は７のいずれか１つに記載の写真シール作成方法。
　【請求項９】
　前記アイテム画像群からの一部の選択を、利用者にタッチパネル式入力手段でタッチ入力を許容して実行する請求項６から８のいずれか１つに記載の写真シール作成方法。
　【請求項１０】
　メンテナンス処理で前記アイテム画像群のアイテム編集を許容する請求項６から９のいずれか１つに記載の写真シール作成方法。
　
３．特許異議の申立て
　特許異議の申立ての理由は、概略、下記のとおりである。
　　　　　記（申立ての理由）
　（ａ）理由１
　　対象請求項：請求項１および請求項６
　　違反条項　：特許法第２９条第１項第３号
　　証拠方法　：特開２０００−６９４０４号公報（甲第１号証）
　（ｂ）理由２
　　対象請求項：請求項１から請求項１０まで
　　違反条項　：特許法第２９条第２項
　　証拠方法　：特開２０００−６９４０４号公報（甲第１号証）
　　　　　　　　特開２００１−１０９８７７号公報（甲第２号証）
　　　　　　　　実用新案登録第３０５７１８３号公報（甲第３号証）
　
４．申立ての理由の検討
（４−１）本件各発明の主要構成
　（ａ）申立人が提出した証拠方法のいずれにも、本件各発明が備える下記の構成（以下、主要構成ともいう）は記載されていない。
　　　　　記（請求項１から請求項５までに係る発明が備える構成）
　編集手段での画像編集に利用する複数のアイテム画像として、アイテム画像を所定順序に並べたアイテム画像群から、編集手段で一部の選択を許容し、表示手段に、選択された複数のアイテム画像を画像編集に使用できる画像として表示すると同時に、撮像画像又は編集画像を編集処理を行う画像として表示すること。
　　　　　記（請求項６から請求項１０までに係る発明が備える構成）
　編集手段での画像編集に利用する複数のアイテム画像として、アイテム画像を所定順序に並べたアイテム画像群から、編集手段で一部の選択を許容し、表示手段で、選択を許容した複数のアイテム画像と、撮像画像又は前記編集画像とを同時に表示すること。
　（ｂ）そして、本件各発明は、上記主要構成を備えることにより、特に、特許明細書に記載された「利用者は、事前の選択によって好みが反映された少数のアイテム画像から素早く選択して使用できるので、好みの画像を探すことに時間を取られることがなく、十分な時間をかけて落書き編集することができるため、満足できる落書き編集を行うことができる。」（段落0021）との効果を奏するものである。
　（ｃ）以上によれば、本件各発明のいずれも、甲第１号証に記載された発明であるということはできない。また、甲第１号証から甲第３号証までに記載された発明に基づいて当業者が容易に発明をすることができたものであるということもできない。
（４−２）甲第１号証の記載（理由１）
　申立人は、甲第１号証の下記の記載は上記主要構成に相当するとして理由１を主張するが（特に、申立書１８頁５行〜１９頁３行）、以下のとおり、当たらない。
　　「パレット選択ボタン４５は、化粧モードで使用するメイクパレット（化粧道具に相当）の選択に使用される。本実施形態においては、系統の異なる５種類の化粧方法が用意され、それぞれに対応して異なるメイクパレットが準備されている。具体的には、ナチュラル系で比較的おとなしい（肌色に近い）カラーパレットであるベーシック（Basic）パレット、若い女性向けでパステルカラーを中心としたカラーパレットであるキュート（Cute）パレット、原色を多用した派手なカラーパレットであるがファニー（Funny）パレット、モード系でモノトーンなどのモード効果を狙ったカラーパレットであるクール（Cool）パレット、及びメイクアップアクセサリを集めたスペシャル（Special）パレットの５種類が用意されている。」（段落0044）。
　　「各メイクパレットは、その傾向に応じて異なるメイクツール（即ち、化粧道具、例えば異なる色の口紅、ファンデーションなど）を含む。利用者が「Basic」、「Cute」、「Funny」、「Cool」、及び「Special」の５つのパレット選択ボタン４５から希望のパレットを選択すると、そのパレットがメイクパレット表示部４６に表示される。選択したメイクパレットが表示されると、利用者はそのパレット中の任意のメイクツールを使用してモニタ１０上でタッチペン１１を使用して化粧を行う。図７に化粧後のモニタ表示画面例を示す。モニタ１０の表示画面上では、表示プロセッサのフレームバッファの第２の領域のデータが表示されるので、化粧モード中では化粧後の撮影画像が表示される。」（段落0045）
　（ａ）特許明細書には、「アイテム画像」につき、「このような写真シール自動販売装置は、編集手段による画像編集の際に、撮像画像と共にハートマークや星マーク等のアイテム画像を表示し、前記撮像画像上で利用者に前記アイテム画像をタッチペンで配置又は描画等する画像編集を許容していた。」（段落0003）と記載されている。
　これに対して、甲第１号証の上記記載によれば、パレット表示部４６に表示された画像（以下、図柄という）の個々は、選択されたパレットに含まれる「メイクツール」（化粧道具。口紅、ファンデーションなど）をそれぞれ示すものであり、「利用者はそのパレット中の任意のメイクツールを使用してモニタ１０上でタッチペン１１を使用して化粧を行う」ものである。図柄自体を撮影画像の画像編集に利用するものではない。
　そのような図柄をもって、本件各発明にいう「画像編集に利用する複数のアイテム画像」に相当すると言うことはできない。
　（ｂ）また、パレット表示部４６に表示された図柄は、複数用意した図柄（図柄群）の中から図柄毎に選択したものではない。５種類用意したパレット（パレット群）の中から希望するパレットを選択し、選択した特定のパレットに含まれる図柄を一括して表示するものである。選択対象はあくまでもパレット単位であり、図柄単位ではない。
　仮に、図柄が本件各発明にいう「画像編集に利用する複数のアイテム画像」に相当するとしても、本件各発明のように「アイテム画像群から、編集手段で一部の選択を（許容し、）」するものではない。
　（ｃ）甲第１号証には、その他、以下の記載が認められる。
　　「図６の右側にはスタンプボックス４７が表示される。スタンプとは、予め用意された図案、マークなどを撮影画像上に貼り付ける機能であり、スタンプボックス４７中に表示されたスタンプをタッチペン１１を使用してドラッグ及びドロップすることにより、撮影画像上の任意の箇所に希望のスタンプを貼り付けることができる。」（段落0046）
　ここで、「予め用意された図案、マークなど」は「撮影画像上の任意の箇所に・・・貼り付ける」ものであり、本件各発明にいう「アイテム画像」との対応を一応のところ認めることができる。しかし、「予め用意された」との記載があるだけで、本件各発明のように「アイテム画像群から、編集手段で一部の選択を（許容し、）」する趣旨の記載はない。
（４−３）甲第２号証および甲第３号証の記載（理由２）
　申立人は、仮に、甲第１号証に上記主要構成の開示はなくとも甲第２号証に開示があるとして理由２を主張するが（特に、申立書２５頁９行〜２７頁末行）、これも、以下のとおり、当たらない。
　（ａ）本件発明の目的等
　（ａ１）特許明細書には、以下の記載が認められる。
　　「【発明が解決しようとする課題】・・・アイテム画像を多数表示すると画像編集を行うために撮像画像を表示する領域が小さくなって利用者の不満となっていた。」（段落0004）
　　「この発明は、画像編集するための撮像画像を大きく表示した上で、アイテム画像の選択を容易にし、人気の高いアイテム画像若しくはその利用者が好みのアイテム画像を素早く見つけられ、該アイテム画像によって満足度の高い画像編集を施した写真シールシートを得ることができる・・・ことを目的とする。」（段落0007）
　　「利用者は、事前の選択によって好みが反映された少数のアイテム画像から素早く選択して使用できるので、好みの画像を探すことに時間を取られることがなく、十分な時間をかけて落書き編集することができるため、満足できる落書き編集を行うことができる。」（段落0021）
　（ａ２）以上によれば、本件各発明は、多数あるアイテム画像の中から利用する一つを選択する場合において、アイテム画像を表示する領域の制限上、多数あるアイテム画像の中からその一部（人気の高いもの、好みのもの）を事前に選択しておき、事前に選択した一部（複数）の中からその一つを選択するという手順（事前選択）を踏むものであることが認められる。
　（ｂ）甲第２号証
　（ｂ１）甲第２号証には、以下の記載が認められる。
　　「ここで、当該登録処理すべき画像として、例えば図３の画像表示エリア２６内に表示されている複数のサムネイル画像２８のうち、任意の４つのサムネイル画像を選択すると、上記画像管理アプリケーションウィンドウ２０の画像表示エリア２６上には、例えば図４に示すように、当該選択された４つのサムネイル画像３０乃至３３が表示される。」（段落0034）
　　「本実施の形態の画像管理アプリケーションプログラムでは、ユーザによるマウス（キー１）操作によって上記「カタログとして登録」が指示されたとき、上記選択された画像をカタログとして登録するようになされている。すなわち、ステップＳ２２にて登録処理すべき画像の選択がなされている状態において、上記「検索・登録」のプルダウンメニュー４０から「カタログとして登録」が指示されると、本実施の形態の画像表示装置は、ステップＳ２３の処理としてそれら選択された画像の縮小画像を生成し、さらに、ステップＳ２４の処理としてそれら生成された縮小画像をグループ化した集合画像（例えば後述する図９の集合画像２９）を生成する。」（段落0035）
　　「すなわち、従来は、フォルダを次々と開いてその内部に存在する目的の画像を検索するようになされており、また、一度に表示することができるのは一つのフォルダ内の画像のみであるため、目的の画像を探すのに手間がかかっていたが、本実施の形態の画像表示装置によれば、図８や図９に示したように、フォルダ内に含まれる全ての画像若しくは一部の画像を縮小した縮小画像を集合画像として表示することにより、階層化されたフォルダ構造内から目的の画像を容易に目視にて見つけ出すことが可能となっている。」（段落0049）
　（ｂ２）以上によれば、甲第２号証は、画像表示エリア内に表示されている複数のサムネイル画像のうちから任意のサムネイル画像を選択し、選択した画像をカタログとして登録する方法において、フォルダ内に含まれる全ての画像若しくは一部の画像を縮小した縮小画像を集合画像として表示することにより、階層化されたフォルダ構造内から目的の画像を容易に目視にて見つけ出すことを可能としたものである。しかし、選択した画像（図４では４個）の中からさらに所定のものを選択する趣旨の記載はない。
　その選択手順は、単に、登録すべき画像（複数）の中からカタログ登録する画像（複数）を選択するだけであり、本願各発明が踏む上記手順（事前選択）の開示が見られるわけでもなく、上記主要構成を開示するものでもない。無論、画像を表示する領域の制限を考慮したものでもない。
　（ｂ３）甲第１号証に甲第２号証を適用したところで、上記主要構成が得られるものでもない。
　（ｃ）甲第３号証
　（ｃ１）甲第３号証には、以下の記載が認められる。
　　「【考案が解決しようとする課題】しかし、上記した従来の映像プリント供給装置では、ユーザが複数のフレームのなかから所望のものを選択する際、常にリストを見て選ばなければならず、非常に面倒であるという問題がある。そこで、例えば今人気の高いフレームを画面上において簡単に見ることが非常に便利であり、そのような機能が望まれるところである。」（段落0006）
　　「このような構成によれば、ランキング表示手段により、それまでに選択された回数の多い背景画像情報が順に所定数（例えば１０個）表示されるため、ユーザは人気のある背景画像情報がどれであるかを事前に知ることができる。そのため、ユーザは背景画像情報を選択する際に、ランキング表示手段により表示される上位ランキングの背景画像情報を見た上で、所望の背景画像情報を選択することが可能になる。」（段落0009）
　　「そして、比較手段及び書換手段により、第２の記憶手段に記憶されている各ランキングファイルが最新の選択回数で上位のものに更新され、この最新の各ランキングファイルが出力手段により読み出されて情報表示手段に出力され、情報表示手段によりこれら上位のランキングファイルの識別用番号及び順位と共にその内容がモニタ表示される。」（段落0012）
　（ｃ２）以上によれば、その選択手順は、単に、所定数（背景画像情報）の中から所望のものを選択するだけであり、本願各発明が踏む上記手順（事前選択）の開示が見られるわけでもなく、上記主要構成を開示するものでもない。
　（ｃ３）甲第１号証に甲第３号証を適用したところで、上記主要構成が得られるものでもない。
（４−４）参考資料の記載
　参考資料１には「編集用の背景や部品パターンを利用者が自由に編集・加工できる」との記載が、参考資料２には「切手シールの作成に当って、被写体の背景とする図柄を変更して入力する」との記載が、参考資料３には「好みの絵画、漫画、手書きメッセージ、あるいは画像情報等を合成用画像として保存する」との記載が、参考資料４には「画面にかぶせた透明のパネルを触れるタッチパネル」との記載が、そして、参考資料５には「店舗側の人が編集画像の人気度を見て、バージョンアップやリニューアルをする」との記載がそれぞれ見られるものの、いずれも、上記主要構成を開示するものではない。
　
５．むすび
　以上のとおり、請求項１から請求項１０までに係る特許は、いずれも、特許異議の申立ての理由及び証拠によっては、取り消すことはできない。
　また、他に、請求項１から請求項１０までに係る特許を取り消すべき理由を発見しない。
　よって、結論のとおり決定をする。
【異議決定日】
平成１７年６月２日（２００５．６．２）